(57)【特許請求の範囲】
【請求項１】
外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、内カバーの外面に係止部を設けると共に、他方の継手部材の内面に被係止部を設け、双方の継手部材が所定の間隔まで離れると係止部が被係止部に係止するようにしたことを特徴とする軒樋伸縮継手。
【請求項２】
少なくとも一方の継手部材の外面に、継手部材の摺動方向と直角方向の係合溝を設けると共に、この係合溝の内部に突入する突起を外カバーの内面に設けたことを特徴とする請求項１に記載の軒樋伸縮継手。
【請求項３】
外カバーの両端部内面に、継手部材が外カバー両端から出ないように係止する凸部を設けたことを特徴とする請求項１に記載の軒樋伸縮継手。
【請求項４】
外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、双方の継手部材の外面に係止部を設けると共に、外カバーの内面の二箇所に被係止部を設け、双方の継手部材が所定の間隔まで離れると双方の継手部材の係止部が双方の被係止部に係止するようにしたことを特徴とする軒樋伸縮継手。
【請求項５】
外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、外カバーの両端部内面に被係止部を設け、双方の継手部材が所定の間隔まで離れると双方の継手部材の端部が双方の被係止部に係止するようにしたことを特徴とする軒樋伸縮継手。
【請求項６】
伸縮体を二個の継手部材と一体に形成したことを特徴とする請求項１ないし請求項５のいずれかに記載の軒樋伸縮継手。
【発明の詳細な説明】
【０００１】
【発明の属する技術分野】
本発明は、温度差による軒樋の伸縮を吸収することができる軒樋伸縮継手に関する。
【０００２】
【従来の技術】
この種の軒樋伸縮継手としては、例えば実公平６−９１９０号に記載されたものが知られている。
【０００３】
この軒樋伸縮継手は、断面Ｕ字状の外継手の一端部内側に、軒樋を接続する一方の内継手を固設すると共に、外継手の他端部内側に、軒樋を接続する他方の内継手を摺動自在に設け、双方の内継手を蛇腹板で連結した構造を有するものである。
【０００４】
このような軒樋伸縮継手は、他方の内継手の摺動によって軒樋の伸縮を吸収することができ、蛇腹板によって水漏れを防止することもできる。
【０００５】
【発明が解決しようとする課題】
しかしながら、上記の軒樋伸縮継手には、双方の内継手が所定の間隔以上に離れないようにするストッパー機構を設けてないため、特に気温が低下して軒樋が大幅に縮むと、双方の内継手の間隔が大きく拡がり、蛇腹板が限界以上に伸びて引き裂かれたり、蛇腹板が内継手から外れたりする心配があった。
【０００６】
また、蛇腹板が露出しているため、直射日光等を受けて蛇腹板が早期に劣化したり、蛇腹板の上にゴミが溜まったりする問題もあった。
【０００７】
本発明は上記の問題に対処すべくなされたもので、その目的とするところは、漏水防止用の伸縮体が引き裂かれたり、外れたり、早期に劣化したり、ゴミが溜まったりする心配がない軒樋伸縮継手を提供することにある。
【０００８】
【課題を解決するための手段】
上記目的を達成するため、本発明の請求項１に係る軒樋伸縮継手は、外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、内カバーの外面に係止部を設けると共に、他方の継手部材の内面に被係止部を設け、双方の継手部材が所定の間隔まで離れると係止部が被係止部に係止するようにしたことを特徴とするものである。
【０００９】
この軒樋伸縮継手は、双方の継手部材に左右から軒樋を接続して使用されるものであり、気温の変化によって軒樋が伸縮すると、双方の継手部材が外カバーの内側で摺動して、その伸縮を吸収する。その場合、軒樋の縮みが大きくなると、双方の継手部材の間隔は拡がるが、双方の継手部材が所定の間隔まで離れると、内カバーの係止部が他方の継手部材の被係止部に係止して、双方の継手部材の間隔がそれ以上拡大しないため、伸縮体が限界以上に伸びて引き裂かれたり、継手部材から外れることはない。従って、伸縮体から雨水が漏れる心配がない。また、伸縮体は内カバーで覆われているため、直射日光を受けて劣化したり、ゴミが溜まったりする心配もない。
【００１０】
次に、本発明の請求項２に係る軒樋伸縮継手は、上記請求項１の伸縮継手において、その少なくとも一方の継手部材の外面に、継手部材の摺動方向と直角方向の係合溝を設けると共に、この係合溝の内部に突入する突起を外カバーの内面に設けたことを特徴とするものである。
【００１１】
この軒樋伸縮継手では、外カバーの突起が係合溝の溝側壁に係合して、一方の継手部材の摺動範囲が係合溝の溝幅の範囲内に制限されるため、双方の継手部材が連なったまま外カバーの端部から突き出して外カバーから外れることがなく、外カバー内において継手部材が摺動して軒樋の伸縮を吸収することができる。
【００１２】
次に、本発明の請求項３に係る軒樋伸縮継手は、上記請求項１の伸縮継手において、その外カバーの両端部内面に、継手部材が外カバー両端から出ないように係止する凸部を設けたことを特徴とするものである。
【００１３】
この軒樋伸縮継手では、双方の継手部材が連なったまま外カバーの端部から出ようとしても、継手部材が外カバーの凸部に係止して突き出すことができないため、やはり外カバーから外れることがなく、外カバー内において継手部材が摺動して軒樋の伸縮を吸収することができる。
【００１４】
次に、本発明の請求項４に係る軒樋伸縮継手は、外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、双方の継手部材の外面に係止部を設けると共に、外カバーの内面の二箇所に被係止部を設け、双方の継手部材が所定の間隔まで離れると双方の継手部材の係止部が双方の被係止部に係止するようにしたことを特徴とするものである。
【００１５】
この軒樋伸縮継手も、請求項１の軒樋伸縮継手と同様に、双方の継手部材が摺動して軒樋の伸縮を吸収することができる。そして、双方の継手部材が所定の間隔まで離れると、双方の継手部材の係止部が外カバーの双方の被係止部に係止して、双方の継手部材の間隔がそれ以上拡大しないため、伸縮体が限界以上に伸びて引き裂かれたり、継手部材から外れたりすることがない。従って、この軒樋伸縮継手も、伸縮体から雨水が漏れる心配がなく、また、内カバーによって伸縮体が被覆保護され、ゴミも溜まらない。更に、上記の係止部が被係止部に係止すると、継手部材が外カバーの端部から突き出せなくなるので、外カバーから継手部材が外れることもない。
【００１６】
次に、本発明の請求項５に係る軒樋伸縮継手は、外カバーの内側に二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手であって、外カバーの両端部内面に被係止部を設け、双方の継手部材が所定の間隔まで離れると双方の継手部材の端部が双方の被係止部に係止するようにしたことを特徴とするものである。
【００１７】
この軒樋伸縮継手も請求項１，４の軒樋伸縮継手と同様に、双方の継手部材が摺動して軒樋の伸縮を吸収することができる。そして、双方の継手部材が所定の間隔まで離れると双方の継手部材の端部が外カバーの双方の被係止部に係止し、伸縮体が引き裂かれたり継手部材から外れたりすることがないので、伸縮体から雨水が漏れる心配がなく、且つ、内カバーによって伸縮体が被覆保護される。また、継手部材の端部が外カバーの被係止部に係止すると、継手部材が外カバーの端部から突き出せなくなるので、外カバーから継手部材が外れることもない。
【００１８】
次に、本発明の請求項６に係る軒樋伸縮継手は、上記請求項１〜５のいずれかの継手において、その伸縮体を二個の継手部材と一体に形成したことを特徴とするものである。
【００１９】
このように伸縮体を継手部材と一体に形成すると、伸縮体が軒樋部材から外れることがないので、漏水を確実に防止することができる。
【００２０】
【発明の実施の形態】
以下、図面を参照して本発明の具体的な実施形態を詳述する。
【００２１】
図１は本発明の一実施形態に係る軒樋伸縮継手の斜視図、図２は同軒樋伸縮継手の縦断面図、図３は双方の継手部材の間隔が最大となった状態の同軒樋伸縮継手の縦断面図、図４は同軒樋伸縮継手の外カバーの斜視図、図５は同軒樋伸縮継手の一方の継手部材の斜視図、図６は同軒樋伸縮継手の他方の継手部材の斜視図、図７は同軒樋伸縮継手の伸縮体の斜視図、図８は同軒樋伸縮継手の内カバーの斜視図、図９は同軒樋伸縮継手の内カバーを取外し、外カバーを透して双方の継手部材と伸縮体を斜めから見た透視図である。
【００２２】
この軒樋伸縮継手は、図１〜図３に示すように、外カバー１の内側に二個の継手部材２，３を摺動可能に嵌装して、双方の継手部材２，３を伸縮自在な水密性の伸縮体４で連結し、伸縮体被覆用の内カバー５を一方の継手部材３に取付けたものである。伸縮体４としては、図７に示すような蛇腹体が好ましく使用されるが、伸縮自在な他の柔軟なシートであってもよい。
【００２３】
外カバー１は、塩化ビニル樹脂、ＡＡＳ（アクリロニトリル−アクリロニトリルゴム−スチレン）樹脂、ＡＳ（アクリル−スチレン）樹脂、ＰＣ（ポリカーボネート）樹脂などの熱可塑性樹脂で成形されたものであって、図４に示すように、底壁部１ａから立上がる前壁部１ｂの上端と後壁部１ｃの上端には、継手部材２，３の耳押え部を押さえる略Ｌ字形の押え部１ｄと略コ字形の押え部１ｅが形成されている。この外カバー１は、継手部材２，３の形状に対応するように、前壁部１ｂが少し後側へ彎曲傾斜して後壁部１ｃよりも高く形成されており、前壁部１ｂの途中には段部１ｆが形成されている。また、この外カバー１の底壁部１ａの内面（上面）には突起１ｇが形成されているが、この突起１ｇについては後で説明する。
【００２４】
継手部材２，３はいずれも、外カバー１と同様の熱可塑性樹脂で成形されたものであって、片方の継手部材２は、図５に示すように軒樋接続部２ａに長い略Ｕ字状の溝型部２ｂが一体形成されており、もう一方の継手部材３は、図６に示すように軒樋接続部３ａに短い略Ｕ字状の溝型部３ｂが一体形成されている。
【００２５】
継手部材２の軒樋接続部２ａは、軒樋６の形状に対応するように、底壁部２ｃから立上がる前壁部２ｄが少し後側へ彎曲傾斜して後壁部２ｆよりも高く形成され、その途中に段部２ｅが設けられると共に、この前壁部２ｄの上端と後壁部２ｆの上端に、軒樋６の耳部６ａ，６ｂを押さえる略Ｌ字形の耳押え部２ｇと略コ字形の耳押え部２ｈが形成されたものであり、この軒樋接続部２ａの内側には軒樋６の内面を押さえる押え板２ｉが設けられている。従って、図２、図３、図５に一点鎖線で示すように、軒樋６の端部が軒樋接続部２ａと内側の押え板２ｉとの隙間部分に差込まれ、軒樋６の前後の耳部６ａ，６ｂが耳押え部２ｇ，２ｈに押えられて、軒樋６が継手部材２に接続されるようになっている。この軒樋接続部２ａの耳押え部２ｇ，２ｈは、端部側の略半分が切り欠かれているため、軒樋６の差込み作業がし易くなっている。
【００２６】
継手部材２の略Ｕ字状溝型部２ｂの先端内面には、伸縮体４の端部の二条の凸リブを嵌着するための二条の細溝２ｊ，２ｊが形成されており、この細溝の軒樋接続部２ａ側の溝側壁部２ｋは一段高く形成されて、内カバー５の係止部を係止させる被係止部となっている。そして、この略Ｕ字状溝型部２ｂの先端外面には、軒樋接続部２ａの端部の輪郭と同じ輪郭を有する鍔部２ｍが形成されており、継手部材２を外カバー１の内側へ嵌装したとき、この鍔部２ｍと軒樋接続部２ａが外カバー１の内面に当接して、継手部材２が傾くことなくスムーズに摺動できるようになっている。また、この略Ｕ字状溝型部２ｂの後壁部上端には段部２ｎが形成されており、この段部２ｎによって内カバー５の後壁部上端の段部が支持されて、内カバー５が傾くことなくスムーズに摺動できるようになっている。更に、軒樋接続部２ａと略Ｕ字状溝型部２ｂとの間に設けられた中間板２ｐの下部中央には、水抜き用の切欠部２ｑが形成され、略Ｕ字状溝型部２ｂに雨水が溜まらないようになっている。
【００２７】
もう一方の継手部材３の軒樋接続部３ａは、上記継手部材２の軒樋接続部３ａと左右対称の構造であって、底壁部３ｃから立上がる前壁部３ｄが少し後側へ彎曲傾斜して後壁部３ｆよりも高く形成され、その途中に段部３ｅが設けられると共に、この前壁部３ｄの上端と後壁部３ｆの上端に、軒樋６の耳部６ａ，６ｂを押さえる略Ｌ字形の耳押え部３ｇと略コ字形の耳押え部３ｈが略半分切り欠かれて形成されている。そして、この軒樋接続部３ａの内側には、軒樋６の内面を押さえる押え板３ｉが設けられている。
【００２８】
また、この軒樋接続部３ａに一体形成された短い略Ｕ字状溝型部３ｂの内面には、伸縮体４の端部の二条の凸リブを嵌着するための二条の細溝３ｊ，３ｊと、内カバー５の取付用フランジ部を嵌合するための嵌合溝３ｐが設けられており、この嵌合溝３ｐの溝側壁部は細溝３ｊ，３ｊの溝側壁部よりも一段高く形成されている。そして、この略Ｕ字状溝型部３ｂの先端外面には、軒樋接続部３ａの端部の輪郭と同じ輪郭を有する鍔部３ｍが形成されており、更に、略Ｕ字状溝型部３ｂの後壁部上端には、内カバー５の後壁部上端の段部を支持する段部３ｎが形成されている。
【００２９】
上記の鍔部３ｍと軒樋接続部３ａとの間の略Ｕ字状溝型部３ｂの外面は凹設され、継手部材３の摺動方向と直角方向の係合溝３ｒが形成されている。そして、この係合溝３ｒの内部に、前述した外カバー１内面の突起１ｇが突入している。そのため、継手部材３が摺動すると、突起１ｇが係合溝３ｒの両側の溝側壁（換言すれば鍔部３ｍと、反対側の軒樋接続部３ａの端部）に係合して、継手部材３の摺動範囲が係合溝３ｒの溝幅の範囲内に制限されるようになっている。
【００３０】
継手部材２，３を連結する伸縮体４は、図７に示すように全体がＵ字状に形成された合成ゴムから成る伸縮自在な水密性の蛇腹体であって、この伸縮体４の両端部外面には二条の凸リブ４ａ，４ａがそれぞれ形成されている。そして、この伸縮体４は、図２，図３、図９に示すように、両端部外面の凸リブ４ａ，４ａを双方の継手部材２，３の前記細溝２ｊ，３ｊに嵌着することによって継手部材２，３に取付けられ、この伸縮体４を介して双方の継手部材２，３が水密的に連結されている。なお、伸縮体４としては、最初からＵ字状に形成された蛇腹体の他に、平坦な蛇腹シートを用いて、これを組立時に継手部材２，３の細溝２ｊ，３ｊに嵌着することでＵ字状となして水密的に連結するようにしてもよい。
【００３１】
伸縮体４を被覆保護する内カバー５は、前記の外カバー１と同様の熱可塑性樹脂からなるもので、図８に示すように、前壁部が後壁部よりも高い略Ｕ字状に成形されており、その後壁部上端に段部５ａが形成されている。そして、この内カバー５の一端外面には取付用フランジ部５ｂが形成され、他端外面には係止部となる係止用フランジ部５ｃが形成されている。
【００３２】
この内カバー５は、図２，図３に示すように、一端の取付用フランジ部５ｂを一方の継手部材３の嵌合溝３ｐに嵌合して取付けられており、図３に示すように双方の継手部材２，３が所定の間隔まで離れると、内カバー５の係止用フランジ部５ｃが他方の継手部材２の被係止部である前記細溝２ｊの溝側壁部２ｋに係止して、双方の継手部材２，３がそれ以上離れないようになっている。また、内カバー５の係止用フランジ部５ｃは、他方の継手部材２の略Ｕ字状溝型部２ｂの内底面に近接し、ゴミ等が伸縮体４の方へ入り込まないようになっている。
【００３３】
以上のような構成の軒樋伸縮継手は、外カバー１の内側に摺動可能に嵌装された双方の継手部材２，３の軒樋接続部２ａ，３ａに、左右から軒樋６，６を既述したように差込み接続して使用される。そして、軒樋６，６が気温の変化によって伸縮すると、双方の継手部材２，３が外カバー１の内側で摺動して、その伸縮を吸収する。
【００３４】
その場合、軒樋６，６の縮みが大きくなると、双方の継手部材２，３の間隔は拡がるが、双方の継手部材２，３が所定の間隔まで離れると、内カバー５の係止用フランジ部（係止部）５ｃが他方の継手部材２の前記細溝の溝側壁部（被係止部）２ｋに係止して、双方の継手部材２，３の間隔がそれ以上拡大しないため、伸縮体４が限界以上に伸びて引き裂かれたり、継手部材２，３から外れたりすることがない。特に、この実施形態の軒樋伸縮継手のように伸縮体４両端部の二条の凸リブ４ａ，４ａを継手部材２，３の二条の細溝２ｊ，３ｊに嵌着して上から内カバー５で押さえた状態で伸縮体４を取付けていると、伸縮体４が継手部材２，３から外れるのを確実に防止することができる。従って、伸縮体４から雨水が漏れる心配は解消される。また、内カバー５で被覆保護された伸縮体４は、直射日光を受けて劣化したり、ゴミが溜まったりする心配もない。
【００３５】
更に、この軒樋伸縮継手は、外カバー１の突起１ｇが一方の継手部材３の係合溝３ｒの両側の溝側壁に係合することによって、継手部材３の摺動範囲が係合溝３ｒの溝幅の範囲内に制限されるため、双方の継手部材２，３が伸縮体４で連結されたまま外カバー１の端部から突き出して、外カバー１から外れることがなく、常に外カバー１内において双方の継手部材２，３が摺動して軒樋６の伸縮を吸収することができる。
【００３６】
図１０は本発明の他の実施形態に係る軒樋伸縮継手の縦断面図である。
【００３７】
この軒樋伸縮継手は、一方の継手部材３の略Ｕ字状溝型部３ｂ外面に形成された係合溝３ｒに突入する突起を外カバー１の内面に形成しないで、外カバー１の両端部内面に、双方の継手部材２，３が外カバー１両端から出ないように係止する凸部１ｊ，１ｊを設けた点が、前述の軒樋伸縮継手と異なっている。その他の構成は前述の軒樋継手と同様であるので、図１０において同一部材に同一符号を付し、説明を省略する。
【００３８】
このような構成の軒樋伸縮継手では、双方の継手部材２，３が連なって外カバー１のいずれか一方の端部から出ようとしても、継手部材２又は３が外カバーのいずれか一端部の凸部１ｊに係止して突き出すことができないため、継手部材２，３が外カバー１から外れることがなく、常に外カバー１内において継手部材２，３が摺動して軒樋の伸縮を吸収することができる。
【００３９】
図１１は本発明の更に他の実施形態に係る軒樋伸縮継手の縦断面図である。
【００４０】
この軒樋伸縮継手は、前述の軒樋伸縮継手と同様に、外カバー１の内側に二個の継手部材２，３を摺動可能に嵌装して、双方の継手部材２，３を伸縮自在な水密性の伸縮体４で連結し、伸縮体被覆用の内カバー５を一方の継手部材３に取付けたものであるが、係止部と被係止部を設ける箇所が異なっている。
【００４１】
即ち、この軒樋伸縮継手においては、一方の継手部材３の略Ｕ字状溝型部３ｂを延長して他方の継手部材２の略Ｕ字状溝型部２ｂと同じ長さにし、双方の継手部材２，３の略Ｕ字状溝型部２ｂ，３ｂの先端外面に、係止部となる係止用フランジ部２ｒ，３ｑをそれぞれ形成すると共に、外カバー１の内面に、被係止部となる一対の凸条１ｈ，１ｈを所定の間隔をあけて形成している。そして、一方の継手部材３の中間板３ｓの底部中央にも、他方の継手部材２の水抜き用の切欠部２ｑと同様の水抜き用の切欠部３ｔを形成し、略Ｕ字状溝型部３ｂに雨水が溜まらないようにしている。
【００４２】
その他の構成は前述した図１〜図９の軒樋伸縮継手と同様であるので、図１１において同一部材に同一符号を付し、説明を省略する。
【００４３】
このような軒樋伸縮継手も、双方の継手部材２，３が摺動して軒樋６の伸縮を吸収することが可能であり、双方の継手部材２，３が所定の間隔まで離れると、双方の継手部材の係止用フランジ部（係止部）２ｒ，３ｑが外カバー内面の双方の凸条（被係止部）１ｈ，１ｈに係止して、双方の継手部材２，３の間隔がそれ以上拡大しないため、伸縮体４が限界以上に伸びて引き裂かれたり、継手部材２，３から外れたりすることがない。従って、この軒樋伸縮継手も、伸縮体４から雨水が漏れる心配はなく、また、内カバー５により伸縮体４が被覆保護されてゴミも溜まらない。更に、上記の係止部２ａ，３ｑが被係止部１ｈ，１ｈに係止すると、継手部材２，３が外カバー１の左側の端部から突き出せなくなるので、外カバー１から外れることがなくなり、常に外カバー１内において継手部材２，３が摺動して軒樋６の伸縮を吸収することができる。更に、双方の継手部材の軒樋接続部２ａ，３ａが被係止部１ｈ，１ｈに係止すると、伸縮体４がこれ以上縮まらないので、無理な力が伸縮体４に働かず、伸縮体４が裂けたりすることはなく、長期使用に耐えられる。
【００４４】
図１２は本発明の更に他の実施形態に係る軒樋伸縮継手の縦断面図である。
【００４５】
この軒樋伸縮継手は、伸縮体４が左右の継手部材２，３と一体に形成されている。即ち、左右の継手部材２，３を前述の硬質の熱可塑性樹脂で射出成形すると同時に、伸縮体４を軟質の熱可塑性樹脂で継手部材２，３と一体に射出成形したものである。この軒樋伸縮継手の他の構成は、前述した図１〜図９の軒樋伸縮継手と同様であるので、図１２において同一部材に同一符号を付し、説明を省略する。
【００４６】
このような軒樋伸縮継手は、前述の図１〜図９に示す軒樋伸縮継手と同様の作用効果を奏することに加えて、伸縮体４が軒樋部材２，３から外れる恐れが全くないので、漏水を確実に防止できる利点がある。
【００４７】
尚、図１０や図１１に示す軒樋伸縮継手において、その伸縮体４を双方の継手部材２，３と一体に形成してもよいことは言うまでもない。
【００４８】
図１３は本発明の更に他の実施形態に係る軒樋伸縮継手の縦断面図である。
【００４９】
この軒樋伸縮継手は、内カバー５に係止部を設けないで、外カバー１の両端部内面に被係止部１ｉ，１ｉを設け、双方の継手部材２，３が所定の間隔まで離れると、双方の継手部材２，３の端部（軒樋接続部２ａ，３ａの端部）が双方の被係止部１ｉ，１ｉに係止するようにした点、および、外カバー５の内面に前述の突起１ｇを設けていない点において、前述の図１〜図９に示す軒樋伸縮継手と異なっている。その他の構成は前述の図１〜図９に示す軒樋伸縮継手と同様であるので、図１２において同一部材に同一符号を付し、説明を省略する。尚、この軒樋伸縮継手において、伸縮体４を双方の継手部材２，３と一体に形成しても勿論よい。
【００５０】
このような軒樋伸縮継手も、双方の継手部材２，３が所定の間隔まで離れると双方の継手部材２，３の端部が外カバーの双方の被係止部１ｉ，１ｉに係止して、双方の継手部材２，３の間隔がそれ以上拡大しないため、伸縮体４が引き裂かれたり継手部材２，３から外れたりすることがなく、従って、伸縮体４から雨水が漏れる心配はない。また、継手部材２，３の端部が外カバー１の被係止部１ｉ，１ｉに係止すると、継手部材２，３が外カバー１の端部から突き出せなくなるので、外カバー１から継手部材２，３が外れることがなく、常に外カバー１内において継手部材２，３が摺動して軒樋６の伸縮を吸収することができる。そして伸縮体４が内カバー５で被覆保護されるので、直射日光を受けて劣化したりゴミが溜まったりする心配もない。
【００５１】
【発明の効果】
以上の説明から明らかなように、本発明の軒樋伸縮継手は、外カバーの内側で双方の継手部材が摺動して軒樋の伸縮を吸収することができ、伸縮体が引き裂かれたり継手部材から外れたりしないため雨水が漏れる心配がなく、また、継手部材が外カバーから外れたり、蛇腹体が直射日光で劣化したり、ゴミが溜まったりする心配もないといった効果を奏する。
【図面の簡単な説明】
【図１】本発明の一実施形態に係る軒樋伸縮継手の斜視図である。
【図２】同軒樋伸縮継手の縦断面図である。
【図３】双方の継手部材の間隔が最大となった状態の同軒樋伸縮継手の縦断面図である。
【図４】同軒樋伸縮継手の外カバーの斜視図である。
【図５】同軒樋伸縮継手の一方の継手部材の斜視図である。
【図６】同軒樋伸縮継手の他方の継手部材の斜視図である。
【図７】同軒樋伸縮継手の蛇腹体の斜視図である。
【図８】同軒樋伸縮継手の内カバーの斜視図である。
【図９】同軒樋伸縮継手の内カバーを取外し、外カバーを通して双方の継手部材と蛇腹体を斜めから見た透視図である。
【図１０】本発明の他の実施形態に係る軒樋伸縮継手の縦断面図である。
【図１１】本発明の更に他の実施形態に係る軒樋伸縮継手の縦断面図である。
【図１２】本発明の更に他の実施形態に係る軒樋伸縮継手の縦断面図である。
【図１３】本発明の更に他の実施形態に係る軒樋伸縮継手の縦断面図である。
【符号の説明】
１  外カバー
１ｇ  突起
１ｈ  被係止部（凸条）
１ｉ  両端部内面の被係止部
１ｊ  凸部
２，３  継手部材
２ｒ，３ｑ  係止部（係止用フランジ部）
２ｋ  被係止部（溝側壁部）
３ｒ  係合溝
４  伸縮体
５  内カバー
５ｃ  係止部（係止用フランジ部）
６  軒樋
【図１】
0004294817.tif 000002
【図２】
0004294817.tif 000003
【図３】
0004294817.tif 000004
【図４】
0004294817.tif 000005
【図５】
0004294817.tif 000006
【図６】
0004294817.tif 000007
【図７】
0004294817.tif 000008
【図８】
0004294817.tif 000009
【図９】
0004294817.tif 000010
【図１０】
0004294817.tif 000011
【図１１】
0004294817.tif 000012
【図１２】
0004294817.tif 000013
【図１３】
0004294817.tif 000014